(57)【特許請求の範囲】
【請求項１】
柱状体の周壁に形成された開口であって、ケーブルの挿通された開口を覆う本体部と、該開口に挿通されて周壁の外周に沿って配置されているケーブルを覆う保護管の端部を被覆する被覆部であって、少なくとも本体部の両側に連続して形成された被覆部とを備え、
それぞれの被覆部は、保護管の端部が挿入される挿入口であって、切除可能な蓋により塞がれる挿入口を有することを特徴とするケーブル挿通口保護カバー。
【請求項２】
本体部は、柱状体に対向し、柱状体の外面に沿って当接可能な当接面を有することを特徴とする請求項１に記載のケーブル挿通口保護カバー。
【請求項３】
本体部は、柱状体の周壁に本体部を固定するためのバンドを位置決めする溝を外面上に備えることを特徴とする請求項１又は２に記載のケーブル挿通口保護カバー。
【請求項４】
被覆部は、外径の異なる保護管に対応した内径に設定された２つ以上の異径部を有し、該異径部は、本体部側から小さい径の順、又は本体部側から大きい径の順に一列に並び、それぞれの径の繋ぎ目で切除可能に構成されることを特徴とする請求項１乃至３のいずれか１項に記載のケーブル挿通口保護カバー。
【請求項５】
本体部とは反対側にある異径部の小径部又は大径部は、小径又は大径の保護管の端部が挿入される挿入口であって、切除可能な蓋により塞がれる挿入口を有することを特徴とする請求項１乃至４のいずれか１項に記載のケーブル挿通口保護カバー。
【発明の詳細な説明】
【技術分野】
【０００１】
本発明は、例えば、電柱の途中位置にある開口（以下、ケーブル挿通口という）に挿通された接地線などのケーブルが外部に露出するのを防止できるようにしたケーブル挿通口保護カバーに関する。
【背景技術】
【０００２】
一般的に、電柱には、変圧器などの電気機器が取り付けられる。該電気機器は、落雷などから保護するために、ケーブル（接地線）と電気的に接続して接地する必要がある。
【０００３】
ところで、鉄筋コンクリート製又は複合鉄筋コンクリート製の電柱（柱状体）は、内部が空洞になっている。このため、電柱には、図８（ａ），（ｂ）〜図１１に示す如く、途中位置（例えば、地表から１．８ｍの位置）に、ケーブルを挿通するためのケーブル挿通口１０１が形成されるとともに、電柱１００の上部（例えば、地表から８ｍの位置）に、ケーブルを引き出すための引出口１０２が形成される。さらに、ケーブル挿通口１０１よりも上方（地表から２ｍの位置）に、ケーブルを介して電気機器を接地するための接地測定端子Ｔが設けられる。
【０００４】
電柱１００内に挿通されるケーブルは、一般的に、電柱１００の内部から引出口１０２を通って電気機器（図示せず）に接続されたケーブルＥ１と、地中に埋設された接地極（図示せず）に接続されたケーブルＥ２とがある。各ケーブルＥ１，Ｅ２は、電柱１００に内挿されて、ケーブル挿通口１０１から外部に引き出されて、電柱１００の外面に沿って配置されて、接地測定端子Ｔに接続される。
【０００５】
そして、接地測定端子Ｔにおいて、電気機器に接続されたケーブルＥ１と、接地極に接続されたケーブルＥ２とが電気的に接続される。これにより電気機器が接地されることになる。
【０００６】
ところで、接地測定端子Ｔに接続されるケーブルＥ１，Ｅ２は、電柱１００の外面に沿って配置されるため、ケーブル挿通口１０１から露出する。この露出部位は、合成樹脂製の保護管Ｐによって覆われ、露出するケーブルＥ１，Ｅ２に対する安全確保が図られている。
【０００７】
通常の場合、図８（ａ）に示す如く、接地測定端子Ｔにおいて接地抵抗を測定するが、経時変化による劣化によって接地抵抗が基準値から外れた場合は、図８（ｂ）及び図９に示す如く、電柱１００の内部のケーブルＥ２に、新たなケーブルＥ２０が分岐接続されて、ケーブル挿通口１０１に挿通されて電柱１００の外面に配置されて接地される。そして、測定した接地抵抗値が基準値の範囲内に収まるようにする。
【０００８】
また、図１０に示す如く、電柱１００の内部のケーブルＥ２に分岐接続されて、ケーブル挿通口１０１に挿通されて電柱１００の周壁の外周に配置された複数のケーブルＥ２０，Ｅ２１が接地される場合もある。
【０００９】
また、図１１に示す如く、複数の電気機器に接続されたケーブルＥ１０が、ケーブル挿通口１０１に挿通されて、電柱１００の内部に配置されたケーブルＥ１に接続される場合もある。
【００１０】
ところで、電柱のケーブル挿通口を覆うとともに、ケーブルを電柱の内部に予め配置しておくためのケーブル挿通口保護カバーが提供されている（特許文献１参照）。この保護カバーは、ケーブル挿通口に装着される筒状の挿通部材と、該挿通部材の開口を閉塞する蓋部材とを備える。そして、蓋部材の上端部には、ケーブルを電柱のケーブル挿通口に挿通するための開口が形成されている。
【先行技術文献】
【特許文献】
【００１１】
【特許文献１】実開平１−１０３１７４号公報
【発明の概要】
【発明が解決しようとする課題】
【００１２】
上記構成のケーブル挿通口保護カバーは、ケーブルを、蓋部材の開口を通してケーブル挿通口に挿通できても、電柱の外面に沿って配置されたケーブルを覆う保護管を接続できる構成にはなっていない。このため、保護カバーと保護管との間でケーブルが露出することになり、ケーブルを保護できなくなる。その結果、露出したケーブルの部位に人が接触する可能性があり、人の手の届く範囲での安全性を確保できないという問題がある。
【００１３】
そこで、本発明は、上記課題に鑑み、電柱の途中位置にある開口（ケーブル挿通口）に挿通された接地線などのケーブルが外部に露出するのを防止できるケーブル挿通口保護カバーを提供することを目的とする。
【課題を解決するための手段】
【００１４】
本発明に係るケーブル挿通口保護カバーは、柱状体の周壁に形成された開口であって、ケーブルの挿通された開口を覆う本体部と、該開口に挿通されて周壁の外周に沿って配置されているケーブルを覆う保護管の端部を被覆する被覆部であって、少なくとも本体部の両側に連続して形成された被覆部とを備え、それぞれの被覆部は、保護管の端部が挿入される挿入口であって、切除可能な蓋により塞がれる挿入口を有することを特徴とする。
【００１５】
かかる構成によれば、柱状体の周壁に形成された開口（軸線に対して直交する位置に形成された開口）が本体部によって覆われるため、開口に挿通されているケーブルの露出部位を本体部で保護できる。また、柱状体の開口の周縁部に沿って配置される保護管の端部（柱状体の外面に配置される保護管の端部）が、本体部に連続して形成された被覆部によって被覆されるため、柱状体の開口から保護管の端部に挿通されたケーブル（柱状体の開口と保護管の端部との間で露出したケーブル）を保護できる。したがって、柱状体の開口から保護管の端部に挿通されたケーブルにおいて、外部に露出する部分がなくなるので、人の手の届く範囲での安全性を確保することができる。
また、少なくとも本体部の両側に被覆部を形成したため、保護管が配置されていない側の挿入口は蓋により塞がれた状態にしておくことで、本体部の内部に水や塵埃が入り込むことを防止できる。一方、保護管が配置されている側の挿入口は、蓋を切除して挿入口を開放し、開放された挿入口に、保護管の端部を挿入して、保護管の端部を被覆部で覆う。
【００１６】
本発明に係るケーブル挿通口保護カバーの一態様として、本体部は、柱状体に対向し、柱状体の外面に沿って当接可能な当接面を有することが好ましい。
【００１７】
かかる構成によれば、本体部が開口を覆った状態で、柱状体に対向する当接面が柱状体の外面に沿って当接するので、柱状体の外面と本体部の開口端面との間に隙間ができず、柱状体の開口から雨水などの水や塵埃が入ることがなく、ケーブルを保護できる。
【００１８】
本発明に係るケーブル挿通口保護カバーの他態様として、本体部は、柱状体の周壁に本体部を固定するためのバンドを位置決めする溝を外面上に備えることが好ましい。
【００１９】
かかる構成によれば、柱状体の開口を覆った本体部の溝にバンドの一部をあてがう。すなわち、溝にあてがわれたバンドの一部は、溝の上下の内壁で画定された凹部に入るとともに、溝の上下の内壁によって上下方向の移動が阻止される。その結果、バンドはカバーに対して位置決めされる。この状態で、柱状体の周壁に、バンドの両側部（溝にあてがわれたバンドの一部を除いた部位）を巻回して、本体部を柱状体に確実に固定する。そうすることで、より安全性を確保できる。
【００２２】
本発明に係るケーブル挿通口保護カバーの他態様として、被覆部は、外径の異なる保護管に対応した内径に設定された２つ以上の異径部を有し、該異径部は、本体部側から小さい径の順、又は本体部側から大きい径の順に一列に並び、それぞれの径の繋ぎ目で切除可能に構成されることが好ましい。
【００２３】
かかる構成によれば、被覆部は径の異なる保護管に対応した内径に設定された２つ以上の異径部を有するため、被覆対象となる保護管の外径に対応した異径部の選択が可能になる。この場合、被覆対象となる保護管の外径よりも小さい又は大きい内径の被覆部は切除される。そうすることで、被覆対象となる保護管の端部を簡単に被覆できる。
【００２４】
本発明に係るケーブル挿通口保護カバーの他態様として、本体部とは反対側にある異径部の小径部又は大径部は、小径又は大径の保護管の端部が挿入される挿入口であって、切除可能な蓋により塞がれる挿入口を有することが好ましい。
【００２５】
かかる構成によれば、保護管が配置されていない側の挿入口を蓋により塞いだ状態にしておくことで、本体部の内部に水や塵埃が入り込むことを防止できる。一方、小径又は大径の保護管が配置される側の挿入口の蓋を切除して、挿入口を開放し、開放された挿入口に、小径又は大径の保護管の端部を挿入して、保護管の端部を被覆部で覆う。
【発明の効果】
【００２６】
以上のように、本発明によれば、電柱の途中位置にある開口、すなわちケーブル挿通口に挿通された接地線などのケーブルが外部に露出するのを防止することができる、といった優れた効果を奏し得る。
【図面の簡単な説明】
【００２７】
【図１】図１は、本実施形態に係るケーブル挿通口保護カバーを示す正面図である。
【図２】図２は、同実施形態に係るケーブル挿通口保護カバーを示す図であり、図１の側面図である。
【図３】図３は、同実施形態に係るケーブル挿通口保護カバーを示す図であり、図１の背面図である。
【図４】図４（ａ），（ｂ）は、同実施形態に係るケーブル挿通口保護カバーを電柱に実装した状態を示す正面図である。
【図５】図５は、同実施形態に係るケーブル挿通口保護カバーを電柱に実装した状態を示す図であり、図４（ｂ）の拡大図である。
【図６】図６は、同実施形態に係るケーブル挿通口保護カバーを電柱に実装した状態を示す図であり、図５の平面図である。
【図７】図７は、同実施形態に係るケーブル挿通口保護カバーの被覆部の変形例を示す背面図である。
【図８】図８（ａ）は、接地測定端子において接地抵抗を測定する場合の説明図、図８（ｂ）は、経時変化による劣化によって接地抵抗が基準値から外れた場合、電柱の内部のケーブルに、新たなケーブルが分岐接続される場合の説明図である。
【図９】図９は、経時変化による劣化によって接地抵抗が基準値から外れた場合、電柱の内部のケーブルに、新たなケーブルが分岐接続される場合の説明図である。
【図１０】図１０は、電柱の内部のケーブルに分岐接続されて、ケーブル挿通口から電柱の周壁の外周に配置された複数のケーブルが接地される場合の説明図である。
【図１１】図１１は、複数の電気機器に接続されたケーブルが、ケーブル挿通口から電柱内部に配置されたケーブルに接続される場合の説明図である。
【発明を実施するための形態】
【００２８】
本発明の実施形態に係るケーブル挿通口保護カバー（以下、単に保護カバーという場合もある。）について図１〜図７を参照して説明する。
【００２９】
本実施形態に係るケーブル挿通口保護カバーは、図１〜図３に示す如く、電柱１００の周壁に形成されたケーブル挿通口１０１を覆う保護カバー１の本体部２と、該ケーブル挿通口１０１に挿通されて周壁の外周に沿って配置されているケーブル（接地線）を覆う保護管Ｐの端部を被覆する被覆部３とを備える。
【００３０】
本体部２は、電柱１００のケーブル挿通口１０１の周縁部を囲む側壁２ｂと、電柱１００のケーブル挿通口１０１（電柱１００の軸線に対して直交する位置に形成された開口）に対向する覆壁２ｃとを備える。そして、側壁２ｂと、覆壁２ｃと、後述する被覆部３の内壁３０とによって開口２ａが画定される。この開口２ａは、一面に電柱１００のケーブル挿通口１０１の開口面積よりも大きい開口面積を有する。
【００３１】
本体部２の開口２ａの開口端面は、電柱１００に対向し、該開口端面に、電柱１００の外面に沿って当接する当接面２０が形成されている（図６参照）。
【００３２】
そして、本体部２が電柱１００のケーブル挿通口１０１を覆った状態で、当接面２０が電柱１００の外面に沿って当接するので、電柱１００の外面と本体部２の当接面２０との間に隙間ができず、電柱１００のケーブル挿通口１０１から雨水などの水や塵埃が入ることがなく、ケーブル（接地線）を保護できる。
【００３３】
また、本体部２の外面には、一対の溝２１，２１が、電柱１００の軸線に対して直交する方向に平行して形成されている。一対の溝２１，２１にバンドＢの一部をあてがう。すなわち、溝２１にあてがわれたバンドＢの一部は、溝２１の上下の内壁で画定された凹部に入るとともに、溝２１の上下の内壁によって上下方向の移動が阻止される。その結果、バンドＢは保護カバー１に対して位置決めされる（図４（ａ），（ｂ）参照）。この状態で、電柱１００の周壁に、バンドＢの両側部（溝２１にあてがわれたバンドＢの一部を除いた部位）を巻回して締結することにより、本体部２を電柱１００に確実に固定することができる。そうすることで、より安全性を確保できる。
【００３４】
被覆部３は、本体部２の上下に一対形成されている。具体的には、本体部２の側壁部２ｂから電柱１００の軸線に沿って互いに異なる方向、すなわち、上方向及び下方向に本体部２に連続して延出される。そして、それぞれの被覆部３，３は、電柱１００の外面に配置される合成樹脂製の保護管Ｐの端部が挿入される円弧状の内壁３０，３０を有する。また、それぞれの被覆部３，３には、保護管Ｐの端部が挿入される挿入口３ａ，３ａが形成され、該挿入口３ａ，３ａは、切除可能な蓋３１，３１により塞がれている。
【００３５】
そして、保護管Ｐが配置されていない側の挿入口３ａは蓋３１により塞がれた状態にしておくことで、本体部２の内部に水や塵埃が入り込むことを防止できる。一方、保護管Ｐが配置される側の挿入口３ａは、蓋３１を切除して挿入口３ａを開放し、開放された挿入口３ａに、保護管Ｐの端部を挿入して、保護管Ｐの端部を被覆部３で覆う。
【００３６】
これによって、電柱１００のケーブル挿通口１０１と保護管Ｐとの間のケーブルの露出部位を保護できる。
【００３７】
また、ケーブル挿通口保護カバー１は、一対の位置決め片４，４をさらに備える。この位置決め片４，４は、電柱１００のケーブル挿通口１０１に対向する本体部２の覆壁２ｃの内面から突出し、前記開口２ａに向かって並列して配置されている。そして、一対の位置決め片４，４は、ケーブル挿通口１０１に対して直交方向に挿入可能になっている。具体的に説明すると、一対の位置決め片４，４の間隔が、図６に示す如く、電柱１００のケーブル挿通口１０１の横寸法よりも小さく設定され、位置決め片４，４の高さが、電柱１００のケーブル挿通口１０１の縦寸法よりも小さく設定され、ケーブル挿通口１０１を覆うケーブル挿通口保護カバー１の位置が決定される。
【００３８】
つぎにケーブル挿通口保護カバー１の使用態様について説明する。まず、保護管Ｐが配置されている側の被覆部３の挿入口３ａの蓋３１を切除して、挿入口３ａを予め開放しておく。
【００３９】
つぎに、保護管Ｐが配置された状態の電柱１００のケーブル挿通口１０１に、保護カバー１の本体部２の位置決め片４，４ が挿入されて、電柱１００のケーブル挿通口１０１の内壁に位置決め片４，４が当接し、当接した位置決め片４，４により本体部２が支持されるようになり、電柱１００のケーブル挿通口１０１に対して本体部２が位置決めされて、電柱１００のケーブル挿通口１０１が保護カバー１によって覆われる。
【００４０】
そして、保護カバー１の本体部２の当接面２０が、電柱１００のケーブル挿通口１０１の近傍の外面に当接し、被覆部３が保護管Ｐの端部を覆う。
【００４１】
そして、電柱１００のケーブル挿通口１０１が保護カバー１の本体部２により覆われて、ケーブル挿通口１０１に挿通されているケーブルの露出部位を本体部２で保護できる。また、電柱１００の外面に配置された保護管Ｐの端部を被覆部３で被覆することで、電柱１００のケーブル挿通口１０１から保護管Ｐの端部に挿通されるケーブルの露出部位を保護できる。したがって、ケーブル挿通口１０１に挿通されたケーブルにおいて、外部に露出する部分がなくなるので、人の手の届く範囲での安全性を確保することができる。
【００４２】
そして、電柱１００のケーブル挿通口１０１を覆った状態の保護カバー１を手で保持しつつ、２本のバンドＢ，Ｂを、保護カバー１の本体部２の溝２１，２１に嵌めて、保護カバー１と電柱１００の外周面とにバンドＢ，Ｂを巻回して、図示しない締結部材で、バンドの両端部を締め付ける。
【００４３】
これによって、電柱１００のケーブル挿通口１０１に保護カバー１が確実に固定されることになる。
【００４４】
このように、電柱１００のケーブル挿通口１０１が保護カバー１の本体部２によって覆われるので、ケーブル挿通口１０１に挿通されているケーブルの露出部位を保護カバー１の本体部２で保護できる。
【００４５】
また、保護管Ｐの端部を被覆部３で被覆することで、電柱１００のケーブル挿通口１０１と保護管Ｐとの間のケーブルの露出部位を保護できる。したがって、ケーブル挿通口１０１に挿通されたケーブルにおいて、外部に露出する部分がなくなるので、人の手の届く範囲での安全性を確保することができる。
【００４６】
なお、本発明に係るケーブル挿通口保護カバーは、前記実施形態に限定することなく種々変更することができる。
【００４７】
例えば、前記実施形態の場合、被覆部３は、１つの保護管Ｐの端部を被覆する径部を備えるようにしたが、外径の異なる保護管Ｐに対応した内径に設定された２つ以上の異径部を備えるようにしてもよい。この異径部は、本体部２側から小さい径の順、又は本体部２側から大きい径の順に一列に並び、それぞれの径の繋ぎ目で切除可能に構成されることが好ましい。
【００４８】
例えば、図７に示す如く、大径部３０ｃ、中間径部３０ｂ、小径部３０ａが、本体部２側から同一直線上に順に並ぶように（同心状に）形成する。そして、小径部３０ａには、前記実施形態と同様に、切除可能な蓋３１によって閉塞された挿入口３ａが形成されている。また、被覆対象となる保護管Ｐの外径が小径部３０ａよりも大きい場合は、小径部３０ａを切除して、前記保護管Ｐの外径に対応する径を選択した上で、その径の開口端で切除することで、被覆対象となる保護管Ｐの端部を簡単に被覆することができる。
【００４９】
また、前記実施形態の場合、ケーブル挿通口保護カバー１を、電柱１００のケーブル挿通口１０１に取り付けるようにしたが、引出口１０２にも取り付けることは可能である。
【符号の説明】
【００５０】
１…ケーブル挿通口保護カバー、２…本体部、２ａ…開口、２ｂ…側壁部、２ｃ…覆壁、３…被覆部、３ａ…挿入口、４…位置決め片、２０…当接面、２１…溝、３０…内壁、３０ａ…小径部、３０ｂ…中間径部、３０ｃ…大径部、３１…蓋、１００…電柱（柱状体）、１０１…ケーブル挿通口、１０２…引出口、Ｂ…バンド、Ｅ１，Ｅ２，Ｅ１０…ケーブル、Ｐ…保護管、Ｔ…接地測定端子
【図１】
0005955892.tif 000002
【図２】
0005955892.tif 000003
【図３】
0005955892.tif 000004
【図４】
0005955892.tif 000005
【図５】
0005955892.tif 000006
【図６】
0005955892.tif 000007
【図７】
0005955892.tif 000008
【図８】
0005955892.tif 000009
【図９】
0005955892.tif 000010
【図１０】
0005955892.tif 000011
【図１１】
0005955892.tif 000012